(57)【要約】      （修正有）【課題】反射面の形成が容易で、プロジェクターから射出された投射光を効率的に反射させ、併せて利便性を向上させる反射型スクリーン装置を提供する。【解決手段】反射型スクリーン装置１は、スクリーン基材に対して反射部としての反射膜が投射光Ｌｐの入射角度に応じて選択的に形成される反射面（反射領域）を有して投射光Ｌｐを反射する反射型スクリーン２と、反射型スクリーン２の両端部（上端部、下端部）をそれぞれ支持し、双方向に反射型スクリーン２の巻き取りおよび繰り出しを行う一対の巻回部３と、を備え、巻回部３は、相互に従動して逆の動作を行い、巻回部３間の反射面を移動させる。【選択図】図１
2013092542.tif 000002
【特許請求の範囲】
【請求項１】
スクリーン基材に対して反射部が投射光の入射角度に応じて選択的に形成される反射面を有して投射光を反射する反射型スクリーンと、
前記反射型スクリーンの両端部をそれぞれ支持し、双方向に前記反射型スクリーンの巻き取りおよび繰り出しを行う一対の巻回部と、を備え、
前記巻回部は、相互に従動して逆の動作を行い、前記巻回部間の前記反射面を移動させることを特徴とする反射型スクリーン装置。
【請求項２】
請求項１に記載の反射型スクリーン装置であって、
前記反射面に対応し、前記投射光を射出するプロジェクターの投射距離を露出する距離表示部を備えていることを特徴とする反射型スクリーン装置。
【請求項３】
請求項２に記載の反射型スクリーン装置であって、
前記距離表示部は、前記スクリーン基材に形成されていることを特徴とする反射型スクリーン装置。
【請求項４】
請求項１〜請求項３のいずれか一項に記載の反射型スクリーン装置であって、
前記巻回部を保持する保持部と、
前記投射光を射出するプロジェクターが載置される載置部と、
前記保持部および前記載置部を支持するベース部と、
を備えていることを特徴とする反射型スクリーン装置。
【請求項５】
請求項４に記載の反射型スクリーン装置であって、
前記巻回部の回転に従動して、所定の前記投射距離に前記載置部を移動させる駆動部を備えていることを特徴とする反射型スクリーン装置。
【請求項６】
請求項４または請求項５に記載の反射型スクリーン装置であって、
前記投射光を反射させて前記反射面に投射させる第１反射部を備えていることを特徴とする反射型スクリーン装置。
【請求項７】
請求項６に記載の反射型スクリーン装置であって、
前記第１反射部は折り畳み可能に設置されていることを特徴とする反射型スクリーン装置。
【請求項８】
請求項１に記載の反射型スクリーン装置であって、
前記反射面に対応し、前記投射光を射出するプロジェクターの投射角度を露出する角度表示部を備えていることを特徴とする反射型スクリーン装置。
【請求項９】
請求項８に記載の反射型スクリーン装置であって、
前記角度表示部は、前記スクリーン基材に形成されていることを特徴とする反射型スクリーン装置。
【請求項１０】
請求項１、請求項８または請求項９に記載の反射型スクリーン装置であって、
前記巻回部を保持する保持部と、
前記保持部を所定の高さに移動させる伸縮部と、
前記投射光を射出するプロジェクターが載置されると共に当該プロジェクターの投射角度を可変する載置部と、
前記伸縮部および前記載置部を支持するベース部と、
を備えていることを特徴とする反射型スクリーン装置。
【請求項１１】
請求項１０に記載の反射型スクリーン装置であって、
前記巻回部の回動または前記伸縮部の伸縮の動作に従動して、前記伸縮部を伸縮または前記巻回部を回動させると共に、前記載置部を所定の前記投射角度に回転させる駆動部を備えていることを特徴とする反射型スクリーン装置。
【請求項１２】
請求項１、請求項８または請求項９に記載の反射型スクリーン装置であって、
前記巻回部を保持する保持部と、
前記保持部を所定の高さに移動させる伸縮部と、
前記投射角度に対応して反射角度を可変することにより前記投射光を反射させて前記反射面に投射させる第２反射部と、
前記伸縮部を支持するベース部と、
を備えていることを特徴とする反射型スクリーン装置。
【請求項１３】
請求項１２に記載の反射型スクリーン装置であって、
前記巻回部の回動または前記伸縮部の伸縮の動作に従動して、前記伸縮部を伸縮または前記巻回部を回動させると共に、前記第２反射部を所定の前記反射角度に回転させる駆動部を備えていることを特徴とする反射型スクリーン装置。
【発明の詳細な説明】
【技術分野】
【０００１】
本発明は、反射型スクリーン装置に関する。
【背景技術】
【０００２】
従来、プロジェクター等の投射型表示装置から投射された投射光をスクリーンで反射して画像を表示するスクリーン装置が知られている。特許文献１では、至近距離の投射装置（プロジェクター）から投射された画像を映し出す反射型スクリーンであって、位置Ａから投射された投射光を略同一方向に反射する第１反射面と、位置Ａとは異なる位置Ｂから投射された投射光を略同一方向に反射する第２反射面と、を有する反射型スクリーンが開示されている。
【０００３】
具体的には、第１反射面は、所定点からの距離に応じて傾斜角が大きくなる複数の第１反射素子面を有し、第２反射面は、所定点からの距離に応じて傾斜角が大きくなる複数の第２反射素子面を有し、第１反射素子面と第２反射素子面とが混在して配置される構成となっている。特許文献１では、スクリーンに入射する投射光の入射角によって、スクリーン面の輝度低下を防止すると共に、投射装置とスクリーンの位置関係が変わっても、輝度変化を抑制することができるとしている。
【先行技術文献】
【特許文献】
【０００４】
【特許文献１】特開２００８−２９９２１９号公報
【発明の概要】
【発明が解決しようとする課題】
【０００５】
特許文献１に開示される反射型スクリーンでは、反射型スクリーンの中に、第１反射素子面と第２反射素子面とが混在して配置される構成であるため、同一箇所の近傍に微妙に異なる反射面を有することとなり、反射面を形成させる型が複雑となるという課題がある。また、投射光を反射する反射面は、第１反射面または第２反射面のいずれかが有効となることにより、投射光を効率的に反射させることには課題があり、輝度低下等が考えられる。また、反射型スクリーンに対する投射装置（プロジェクター）の適正な設置位置がわかりづらいという課題がある。
従って、反射面の形成が容易で、プロジェクターから射出された投射光を効率的に反射させ、併せて利便性を向上させる反射型スクリーン装置が要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る反射型スクリーン装置は、スクリーン基材に対して反射部が投射光の入射角度に応じて選択的に形成される反射面を有して投射光を反射する反射型スクリーンと、反射型スクリーンの両端部をそれぞれ支持し、双方向に反射型スクリーンの巻き取りおよび繰り出しを行う一対の巻回部と、を備え、巻回部は、相互に従動して逆の動作を行い、巻回部間の反射面を移動させることを特徴とする。
【０００８】
このような反射型スクリーン装置によれば、反射型スクリーンの反射面は、スクリーン基材に対して反射部が投射光の入射角度に応じて選択的に形成されることで、異なる反射面が混在することはなく、反射面の形成が容易である。また、巻回部を動作（巻き取りおよび繰り出し）させることにより、反射面を移動させて、所望の反射面を表示させることができるため、利便性が向上すると共に、反射型スクリーン装置の小型化を図ることができる。
【０００９】
（適用例２）上記適用例に係る反射型スクリーン装置において、反射面に対応し、投射光を射出するプロジェクターの投射距離を露出する距離表示部を備えていることが好ましい。
【００１０】
このような反射型スクリーン装置によれば、プロジェクターの投射距離を露出する距離表示部を備えることにより、反射面が巻回部の動作により移動した反射型スクリーンに対して、プロジェクターを設置する位置（投射距離）を示すことで、反射面に対応する投射位置にプロジェクターを容易に設置することができる。これにより、所望の反射面に対応させて、プロジェクターを適切な投射距離に設置でき、投射光を効率的に反射させることができる。
【００１１】
（適用例３）上記適用例に係る反射型スクリーン装置において、距離表示部は、スクリーン基材に形成されていることが好ましい。
【００１２】
このような反射型スクリーン装置によれば、距離表示部がスクリーン基材に形成されていることにより、巻回部を動作させることで、反射面を移動させた場合に、移動させて表示させた反射面に対して適切な投射距離を表示することができ、反射面と投射距離との対応を容易に付けることができる。このため、反射型スクリーンの反射面に対応させて、適切な位置（投射距離）にプロジェクターを設置することができる。
【００１３】
（適用例４）上記適用例に係る反射型スクリーン装置において、巻回部を保持する保持部と、投射光を射出するプロジェクターが載置される載置部と、保持部および載置部を支持するベース部と、を備えていることが好ましい。
【００１４】
このような反射型スクリーン装置によれば、保持部、載置部、ベース部を備えることで、容易にプロジェクターを設置することができ、反射型スクリーン装置の利便性が向上する。
【００１５】
（適用例５）上記適用例に係る反射型スクリーン装置において、巻回部の回転に従動して、所定の投射距離に載置部を移動させる駆動部を備えていることが好ましい。
【００１６】
このような反射型スクリーン装置によれば、駆動部を備えることにより、反射型スクリーンの反射面に対応して、所定の投射距離に載置部を移動させる。これにより、更に容易にプロジェクターを所定の投射距離に設置することができ、反射型スクリーン装置の利便性が更に向上する。
【００１７】
（適用例６）上記適用例に係る反射型スクリーン装置において、投射光を反射させて反射面に投射させる第１反射部を備えていることが好ましい。
【００１８】
このような反射型スクリーン装置によれば、第１反射部を備えることにより、プロジェクターを反射型スクリーンに対して、接近させて設置することができる。
【００１９】
（適用例７）上記適用例に係る反射型スクリーン装置において、第１反射部は折り畳み可能に設置されていることが好ましい。
【００２０】
このような反射型スクリーン装置によれば、第１反射部を使用しない場合には、折り畳むことにより、邪魔にならない。従って、反射型スクリーン装置の利便性が更に向上する。
【００２１】
（適用例８）上記適用例に係る反射型スクリーン装置において、反射面に対応し、投射光を射出するプロジェクターの投射角度を露出する角度表示部を備えていることが好ましい。
【００２２】
このような反射型スクリーン装置によれば、プロジェクターの投射角度を露出する角度表示部を備えることにより、反射面が巻回部の動作により移動した反射型スクリーンに対して、プロジェクターを設置する位置（投射角度）を示すことで、反射面に対応する投射角度となるようにプロジェクターを設置することができる。
【００２３】
（適用例９）上記適用例に係る反射型スクリーン装置において、角度表示部は、スクリーン基材に形成されていることが好ましい。
【００２４】
このような反射型スクリーン装置によれば、角度表示部がスクリーン基材に形成されていることにより、巻回部を動作させることで、反射面を移動した場合に表示させた反射面のスクリーン基材に形成される投射角度を確認でき、反射面に対応する投射角度との対応を容易に付けることができる。このため、反射型スクリーンの反射面に対応させて、適切な位置（投射角度）にプロジェクターを設置することができる。
【００２５】
（適用例１０）上記適用例に係る反射型スクリーン装置において、巻回部を保持する保持部と、保持部を所定の高さに移動させる伸縮部と、投射光を射出するプロジェクターが載置されると共にプロジェクターの投射角度を可変する載置部と、伸縮部および載置部を支持するベース部と、を備えていることが好ましい。
【００２６】
このような反射型スクリーン装置によれば、保持部、伸縮部、載置部、およびベース部を備えることで、反射型スクリーン装置に安定してプロジェクターを容易に設置することができ、反射型スクリーン装置の利便性が向上する。
【００２７】
（適用例１１）上記適用例に係る反射型スクリーン装置において、巻回部の回動または伸縮部の伸縮の動作に従動して、伸縮部を伸縮または巻回部を回動させると共に、載置部を所定の投射角度に回転させる駆動部を備えていることが好ましい。
【００２８】
このような反射型スクリーン装置によれば、駆動部を備えることにより、巻回部の回動に従動して伸縮部を伸縮させると共に、載置部を所定の投射角度に回転させる。または、伸縮部の伸縮に従動して巻回部を回動させると共に、載置部を所定の投射角度に回転させる。これにより、更に容易にプロジェクターを所定の投射角度に設置することができ、反射型スクリーン装置の利便性が更に向上する。
【００２９】
（適用例１２）上記適用例に係る反射型スクリーン装置において、巻回部を保持する保持部と、保持部を所定の高さに移動させる伸縮部と、投射角度に対応して反射角度を可変することにより投射光を反射させて反射面に投射させる第２反射部と、伸縮部を支持するベース部と、を備えていることが好ましい。
【００３０】
このような反射型スクリーン装置によれば、保持部、伸縮部、第２反射部、およびベース部を備えることで、投射角度に対応して反射角度を可変して反射型スクリーンに投射させる。これにより、反射型スクリーン装置の利便性が向上する。
【００３１】
（適用例１３）上記適用例に係る反射型スクリーン装置において、巻回部の回動または伸縮部の伸縮の動作に従動して、伸縮部を伸縮または巻回部を回動させると共に、第２反射部を所定の反射角度に回転させる駆動部を備えていることが好ましい。
【００３２】
このような反射型スクリーン装置によれば、駆動部を備えることにより、巻回部の回動に従動して伸縮部を伸縮させると共に、第２反射部を所定の反射角度に回転させる。または、伸縮部の伸縮に従動して巻回部を回動させると共に、第２反射部を所定の反射角度に回転させる。これにより、更に容易に所定の反射角度に回動させることができ、反射型スクリーン装置の利便性が更に向上する。
【図面の簡単な説明】
【００３３】
【図１】第１実施形態に係る反射型スクリーン装置を模式的に示す側面図。
【図２】反射型スクリーンの表面を見た模式図。
【図３】反射型スクリーンの断面を示すと共に製造工程を示す模式図。
【図４】反射型スクリーンおよび巻回部を正対した方向から見た平面図。
【図５】第２実施形態に係る反射型スクリーン装置を模式的に示す側面図。
【図６】反射型スクリーンの表面を見た模式図。
【図７】反射型スクリーンおよび巻回部を正対した方向から見た平面図。
【図８】第１実施形態での変形例を示す第１反射部を用いた側面図。
【図９】第２実施形態での変形例を示す第２反射部を用いた側面図。
【発明を実施するための形態】
【００３４】
以下、実施形態を図面に基づいて説明する。
（第１実施形態）
【００３５】
図１は、第１実施形態に係る反射型スクリーン装置１を模式的に示す側面図である。また、図１は、スクリーン装置１の概断面も示している。図１を参照して、本実施形態の反射型スクリーン装置１の構成に関して説明する。
【００３６】
本実施形態の反射型スクリーン装置１は、机上面ＤＳ等に設置すると共に、プロジェクターＰＪを載置する載置部５を所定の位置（投射距離Ｄで決まる位置）に移動させて反射型スクリーン２にプロジェクターＰＪから射出された投射光Ｌｐを反射させる装置である。
【００３７】
反射型スクリーン装置１は、プロジェクターＰＪから射出された投射光Ｌｐを反射させる反射面を有する反射型スクリーン２と、反射型スクリーン２を双方向に巻き取り及び繰り出しを行う一対の巻回部３とを備えている。また、反射型スクリーン装置１は、巻回部３を保持する保持部４と、保持部４を保持すると共に、プロジェクターＰＪを載置する載置部５を保持するベース部６とを備えている。また、反射型スクリーン装置１は、巻回部３の回転に従動して、所定の位置（投射距離Ｄで決まる位置）に載置部５を移動させる駆動部７を備えている。なお、反射面は、本実施形態では、後述する反射膜２３を含む凹部２２が形成される反射領域Ａをいう（いずれも図２、図３参照）。
【００３８】
反射型スクリーン装置１は、ベース部６に対して、反射型スクリーン２を略垂直方向に起立した状態となっている。また、反射型スクリーン装置１は、保持部４および巻回部３により、反射型スクリーン２の後述する反射面（反射領域Ａ）の上下方向の距離が固定される。
【００３９】
なお、以降では、反射型スクリーン装置１を、スクリーン装置１と略して称し、反射型スクリーン２をスクリーン２と略して称し、適宜使用する。
【００４０】
図１を含む以降の図面では、各構成要素を図面上で認識できる程度の大きさとするため、各構成要素の寸法や比率を実際のものとは適宜異ならせて示している。また、図１を含む以降の図面では、説明の便宜上、ＸＹＺ直交座標系で記載する。ＸＹＺ直交座標系は、机上面ＤＳに対して垂直方向をＹ方向（机上面ＤＳに対して起立したスクリーン２の方向を＋Ｙ方向）とする。また、起立したスクリーン２の反射面に平行で、Ｙ方向に直交する方向をＸ方向（起立した状態のスクリーン２の反射面と正対した場合の右方向を＋Ｘ方向）とする。また、Ｙ方向及びＸ方向に直交する方向をＺ方向（起立したスクリーン２の反射面と正対する方向を＋Ｚ方向）とする。また、重力方向を基準として、重力方向を下方向、逆方向を上方向とする。
【００４１】
図２は、反射型スクリーン２の表（おもて）面２１Ａを見た模式図である。なお、図２は、反射型スクリーン２の全体を示す平面図である。図３は、反射型スクリーン２の断面を示すと共に製造工程１００を示す模式図であり、図３（ａ）は、基材変形工程１１０を示す模式図であり、図３（ｂ）は、反射膜形成工程１２０を示す模式図である。なお、図３は、スクリーン２をＹ方向に切断した断面を模式的に示している。図２を参照して、スクリーン２の構成に関して説明する。また、図３を参照して、スクリーン２の製造工程を説明する。
【００４２】
図２に示すように、スクリーン２の外形形状は、上下方向（Ｙ方向）が左右方向（Ｘ方向）に比較して長く形成されている。これは、本実施形態のスクリーン装置１が、小型なプロジェクターＰＪを使用する装置として構成されているためである。なお、小型なプロジェクターＰＪとしては、本実施形態では平面サイズが、はがきの大きさ程度を想定している。
【００４３】
図２に示すように、スクリーン２の表面２１Ａは、後述する反射膜２３が選択的に形成される凹部２２で構成される反射面としての反射領域Ａと、反射領域Ａに対応するプロジェクターＰＪの適切な投射距離Ｄ（図１参照）を示す距離表示部Ｂとで構成される。
【００４４】
凹部２２は、反射領域ＡのＸ方向における中心線Ｙｃ上の所定の位置を中心とする円弧状に配列され、Ｙ方向において、この中心を同心とする同心円状に配列されるように形成される。本実施形態の凹部２２は、略半球状で、ピッチ３００μｍ程度で形成される。
【００４５】
本実施形態の反射型スクリーン２は、可撓性を有するシート状の基材（以降、スクリーン基材２１と称す）を用いている。スクリーン基材２１は、本実施形態では、黒色の塩化ビニル樹脂で形成されている。黒色としているのは、不要な入射光を吸収し易くさせることができるためである。
【００４６】
図３に示すように、スクリーン２の凹部２２および反射膜２３を形成する製造工程１００は、基材変形工程１１０と反射膜形成工程１２０とを備えている。また、製造工程１００は、基材変形工程１１０を行い、その後、反射膜形成工程１２０を行う。
【００４７】
図３（ａ）に示すように、基材変形工程１１０は、スクリーン基材２１を変形させる工程である。基材変形工程１１０は、本実施形態では、転写工程１１１を含んで構成されている。転写工程１１１により、スクリーン基材２１を変形させ、複数の凹部２２をスクリーン基材２１の表（おもて）面２１Ａに形成している。また、転写工程１１１は、加熱しながら型を押し付ける転写装置として、エンボス加工装置（図示省略）を用いて実施される。
【００４８】
エンボス加工装置は、形成させる形状とは逆形状に形成された金型を加熱しながら、スクリーン基材２１の前後方向（Ｚ方向）から高圧力で押し付け、スクリーン基材２１を金型形状に沿わせて熱変形（転写）させて、必要な形状を形成させる装置である。これにより、図３（ａ）に示すように凹部２２が形成される。本実施形態の凹部２２は、上述したように概半球状に形成される。
【００４９】
また、凹部２２は、スクリーン２の下端部２１Ｄから上端部２１Ｃ（図２参照）に行くに従い、図３に示すように、深さが徐々に深くなる内面２２Ａ形状となるように形成される。これは、プロジェクターＰＪの投射する角度が上方に行くに従い急角度となるが、そのような場合にも、後述する反射膜２３により、観察者側となる水平方向（＋Ｚ方向）に効率よく反射させるためである。
【００５０】
基材変形工程１１０が終了した場合、反射膜形成工程１２０に移行する。図３（ｂ）に示すように、反射膜形成工程１２０は、凹部２２の内面２２Ａに選択的に反射膜２３を形成する工程である。なお、反射膜形成工程１２０は、本実施形態では、蒸着工程１２１を含んで構成されている。本実施形態では、この蒸着工程１２１により、アルミニウムの膜を、内面２２Ａに選択的に形成している。
【００５１】
蒸着工程１２１では、図３（ｂ）に示すように、蒸着源Ｓが、図４に示す中心線Ｙｃ上で、図２に示すスクリーン基材２１の下端部２１Ｄ側に設置される。蒸着工程１２１は、詳細には、反射膜２３を形成する際、表面２１Ａに対して斜めに投射光Ｌｐを射出するプロジェクターＰＪの位置を仮想光源位置Ｐとして予め想定しておく。そして、表面２１Ａの各凹部２２に対する蒸着材料の蒸着の角度θｓが、表面２１Ａの各凹部２２に対する仮想光源位置Ｐからの投射光Ｌｐの入射角度θｐと等しいか、それよりも小さくなるように蒸着源Ｓを配置して、投射光Ｌｐの入射方向から各凹部２２に蒸着材料を蒸着させる。
【００５２】
蒸着工程１２１を行うことにより、投射光Ｌｐが照射される凹部２２の内面２２Ａに沿って、凹状の反射膜２３が形成される。なお、このように、斜め方向から蒸着を行うことで、蒸着源Ｓを中心として、表面２１Ａの各凹部２２に放射状で選択的に反射膜２３が形成される。
【００５３】
図４は、反射型スクリーン２および巻回部３を正対した方向から見た平面図である。図４を参照して、反射型スクリーン２および巻回部３の構成を説明する。
【００５４】
図４に示すように、本実施形態の巻回部３は、スクリーン２の上端部２１Ｃと下端部２１Ｄとをそれぞれ支持固定し、スクリーン２の幅方向（Ｘ方向）の長さと略同等の長さの回動軸を有してスクリーン２を巻回する巻回部本体３１をそれぞれ備えて構成されている。巻回部本体３１は、スクリーン２を巻き取る方向に常に引張り力を付与するバネ部材（図示省略）を有している。また、巻回部３は、巻回部本体３１をカバーする巻回フレーム３２をそれぞれ備え、その左側面には、巻回部本体３１を回動させるダイヤル３３がそれぞれ設置されている。
【００５５】
スクリーン２は、保持部４により巻回部３の位置がそれぞれ固定されることにより、上下方向（Ｙ方向）の位置（範囲）が固定されている。巻回部３が固定され、また、スクリーン２を巻き取る方向に常に引張り力を付与するバネ部材により、一対の巻回部３に挟まれるスクリーン２は、常に突っ張る状態となり、スクリーン２の弛みを低減させている。
【００５６】
なお、巻回部３（巻回部本体３１）は、ダイヤル３３が回動されることにより、双方向にスクリーン２の巻き取りおよび繰り出しを行う。そして、一方のダイヤル３３が回動されることにより、他方のダイヤル３３が従動して回動し、逆の動作を行う。詳細には、巻回部本体３１は、上方向のダイヤル３３を回動することで、スクリーン２を繰り出した場合、下方向のダイヤル３３も従動して回動し、スクリーン２を巻き取る。また、巻回部本体３１は、逆に、上方向のダイヤル３３を回動することで、スクリーン２を巻き取った場合、下方向のダイヤル３３は従動して回動し、スクリーン２を繰り出す。
【００５７】
巻回部本体３１の動作により、スクリーン２は常に突っ張る状態で、巻回部３間の反射面（反射領域Ａ）を移動させることができる。なお、図４には、スクリーン２全体の反射領域Ａ（図２参照）のうち下部となる反射領域Ａ１が反射面として表示（露出）されている。
【００５８】
ここで図２に戻り、反射領域Ａは、本実施形態では、プロジェクターＰＪの投射距離Ｄが、遠距離（本実施形態では、約６０ｃｍ）からの投射に好適となる遠距離用の反射領域Ａ１と、中距離（本実施形態では、約４０ｃｍ）からの投射に好適となる中距離用の反射領域Ａ２と、近距離（本実施形態では、約２０ｃｍ）からの投射に好適となる近距離用の反射領域Ａ３と、から構成されている。しかし、この反射領域Ａは、固定されるわけではなく、巻回部３のダイヤル３３を回動することで、反射領域Ａを移動させて所望の反射領域Ａを表示させて使用することができる。
【００５９】
また、図２に示すように、スクリーン２（スクリーン基材２１）の表面２１Ａの右側の領域（反射領域Ａの右側の領域）には、反射面に対応する投射距離Ｄを露出（表示）する距離表示部Ｂが形成されている。本実施形態では、距離表示部Ｂとして、投射距離Ｄが表面２１Ａに印刷されている。従って、巻回部３のダイヤル３３を回動することで、反射領域Ａを移動させて任意の位置の反射領域Ａを表示させた場合、表示させた反射領域Ａに対応する投射距離Ｄも表示される。
【００６０】
図４に戻り、反射領域Ａ１が表示されるようにスクリーン２を移動した場合、スクリーン２の表面２１Ａの右側には、前述した距離表示部Ｂとして、投射距離Ｄが表示されている。詳細には、図４には、投射距離Ｄとして、４０ｃｍ，５０ｃｍ，６０ｃｍが表示される。この場合、最下部に表示される投射距離Ｄが、表示された反射領域Ａにおける適切な投射距離Ｄとなる。この場合、適切な投射距離Ｄは６０ｃｍとなる。なお、本実施形態のスクリーン装置１では、載置部５がダイヤル３３の回動に従動し、適切な投射距離Ｄに移動する。図４の場合には、投射距離Ｄがスクリーン２から６０ｃｍとなる位置に載置部５が移動する。
【００６１】
図１を参照してスクリーン装置１の構成と動作を説明する。
駆動部７は、ベース部６内部に設置され、巻回部３の回動に従動して、載置部５を所定の位置（投射距離Ｄで決まる位置）に移動させる。駆動部７は、双方向に回転可能なモーター７１と、モーター７１の回転を伝達する伝達ギヤ７２と、伝達ギヤ７２に噛み合い、Ｚ方向に延びる棒状ギヤ７３とを有して構成される。
【００６２】
また、駆動部７は、巻回部３のダイヤル３３の回動量を検出するエンコーダー（図示省略）と、エンコーダーによる検出結果によりモーター７１を回転させるドライバー（図示省略）とを備えている。また、駆動部７は、エンコーダーやドライバーを含め、駆動部７の駆動を制御する制御部（図示省略）を備えている。
【００６３】
載置部５は、ベース部６の上面６ＡをＺ方向にスライドする載置部本体５１と、載置部本体５１を支持して駆動部７の棒状ギヤ７３に噛み合う支持部５２とを有して構成される。支持部５２は、棒状ギヤ７３のギヤ形状に対応して加工され、棒状ギヤ７３のギヤに噛み合いながら並進する。なお、載置部本体５１には、プロジェクターＰＪが載置される。
【００６４】
スクリーン装置１は、ダイヤル３３が回動された場合、エンコーダーがダイヤル３３の回動量を検出して制御部に送る。制御部は、エンコーダーからの信号に対応する信号をドライバーに送る。ドライバーは、制御部からの信号に応じて、載置部５にダイヤル３３の回動に対応する所定量の移動を行わせるため、モーター７１を回動させる。このモーター７１の回動を伝達ギヤ７２が棒状ギヤ７３に伝達することにより、棒状ギヤ７３が回転する。
【００６５】
棒状ギヤ７３の回転により、棒状ギヤ７３のギヤに噛み合う載置部５の支持部５２が、棒状ギヤ７３を並進し、所定の投射距離Ｄとなる位置で停止する。この支持部の５２の並進に伴って、載置部本体５１もベース部６の上面６Ａを移動し、所定の投射距離Ｄとなる位置で停止する。
【００６６】
次に、プロジェクターＰＪを操作して、投射光Ｌｐの投射範囲をスクリーン２の表示範囲内に納まるように調整する。これにより、巻回部３の回動により表示された反射面（反射領域Ａ）に対応した適切な投射距離ＤにプロジェクターＰＪを位置させ、投射させることができる。言い換えると、スクリーン２は、投射距離Ｄに対応する反射面（反射領域Ａ）により、プロジェクターＰＪからの投射光Ｌｐに対し、コントラストを低減することなく観察者側に反射させる。
【００６７】
上述した実施形態によれば、以下の効果が得られる。
本実施形態の反射型スクリーン装置１によれば、スクリーン基材２１に対して反射膜２３が投射光Ｌｐの入射角度θｐに応じて選択的に形成される反射面（反射領域Ａ）を有して投射光Ｌｐを反射する反射型スクリーン２を備える。また、反射型スクリーン装置１は、反射型スクリーン２の上端部２１Ｃ、下端部２１Ｄをそれぞれ支持し、双方向に反射型スクリーン２の巻き取りおよび繰り出しを行う一対の巻回部３を備える。そして、巻回部３は、相互に従動して逆の動作を行い、巻回部３間の反射面を移動させる。これにより、反射型スクリーン２の反射面（反射領域Ａ）は、スクリーン基材２１に対して反射膜２３が投射光Ｌｐの入射角度θｐに応じて選択されて連続的に形成されることで、従来のように異なる反射面が混在されることはなく、反射面の形成が容易である。また、巻回部３を動作（巻き取りおよび繰り出し）させることにより、反射面（反射領域Ａ）を移動させて、所望の反射領域を表示させることができるため、反射型スクリーン装置１の利便性が向上すると共に、反射型スクリーン装置１の小型化を図ることができる。
【００６８】
本実施形態の反射型スクリーン装置１によれば、駆動部７を備えることにより、巻回部３を回動させて所望の反射面を表示させた場合、容易にプロジェクターＰＪを所定の投射距離Ｄに移動させることができ、投射光Ｌｐを効率的に反射させ、コントラスト性能を維持することができる。また、このような駆動部７を備えることにより、反射型スクリーン装置１の利便性が向上する。
【００６９】
本実施形態の反射型スクリーン装置１によれば、保持部４、載置部５、ベース部６を備えることで、安定して容易にプロジェクターＰＪを設置することができ、反射型スクリーン装置１の利便性が向上する。
（第２実施形態）
【００７０】
図５は、第２実施形態に係る反射型スクリーン装置１０を模式的に示す側面図である。図６は、反射型スクリーン２０の表面２１Ａを見た模式図である。図７は、反射型スクリーン２０および巻回部３を正対した方向から見た平面図である。なお、図５は、スクリーン２０の反射領域Ａとして、Ａ１とＡ３とが表示される場合を同時に示している。図５〜図７を参照して、本実施形態の反射型スクリーン装置１０の構成および動作を説明する。
【００７１】
本実施形態のスクリーン装置１０は、第１実施形態と比較して、保持部４を所定の高さに移動させる伸縮部４０と、投射光Ｌｐを射出するプロジェクターＰＪが載置されると共にプロジェクターＰＪの投射角度Ｅを可変する載置部５０と、伸縮部４０と載置部５０を支持するベース部６０と、を備えている点が異なる。そして、スクリーン装置１０は、第１実施形態と比較して、巻回部３を回動することにより、伸縮部４０を伸縮させ、保持部４を所定の高さに移動させると共に、後述する載置部５０を所定の投射角度Ｅに回転させる駆動部７０を備えている点が異なる。その他の構成は、第１実施形態と同様となる。
【００７２】
本実施形態のスクリーン２０は、図６に示すように、スクリーン２０の表面２１Ａの左側には、第１実施形態と同様に、反射膜２３が選択的に形成される凹部２２で構成される反射面としての反射領域Ａが構成される。第１実施形態と異なる点は、スクリーン２０（スクリーン基材２１）の表面２１Ａの右側に、反射領域Ａに対応するプロジェクターＰＪの適切な投射角度Ｅ（図５参照）を示す角度表示部Ｃが構成されることである。
【００７３】
本実施形態の巻回部３は、図７に示すように、第１実施形態と同様に構成される。また、巻回部３（巻回部本体３１）の動作も第１実施形態と同様となる。なお、図７には、スクリーン２０全体の反射領域Ａ（図６参照）のうち下部となる反射領域Ａ１が反射面として表示（露出）されている。
【００７４】
図６に戻り、反射領域Ａは、本実施形態では、プロジェクターＰＪの投射角度Ｅが、本実施形態では、約０°からの投射に好適となる反射領域Ａ１と、約３０°からの投射に好適となる反射領域Ａ２と、約５０°からの投射に好適となる反射領域Ａ３と、から構成されている。しかし、この反射領域Ａは、固定されるわけではなく、巻回部３のダイヤル３３を回動することで、反射領域Ａを移動させて任意の位置の反射領域Ａを表示させて使用することができる。
【００７５】
また、スクリーン２０には、図６に示すように、角度表示部Ｃとして、投射角度Ｅが表面２１Ａに印刷されている。従って、図７に示すように、巻回部３のダイヤル３３を回動させることで、反射領域Ａを移動させて任意の位置の反射領域Ａを表示させた場合、表示させた反射領域Ａに対応する投射角度Ｅが表示される。
【００７６】
図７に示すように、反射領域Ａ１が表示されるようにスクリーン２０を移動した場合、スクリーン２０の表面２１Ａの右側には、前述した角度表示部Ｃとして、投射角度Ｅが表示されている。詳細には、図７には、投射角度Ｅとして、０°，１０°，２０°，３０°が表示される。この場合、最下部に表示される投射角度Ｅが、表示された反射領域Ａにおける適切な投射角度Ｅとなる。この場合、適切な投射角度Ｅは０°となる。なお、本実施形態のスクリーン装置１０では、ダイヤル３３の回動に従動して駆動部７０が動作することにより伸縮部４０が伸縮し、反射領域Ａに対応する高さにスクリーン２０（巻回部３、保持部４含め）を移動させると共に、載置部５０を適切な投射角度Ｅに回動させる。図７の場合には、投射角度Ｅが０°となる角度に載置部５０が回転する。
【００７７】
図５を参照してスクリーン装置１０の構成と動作を説明する。
駆動部７０は、巻回部３の回転に従動して、伸縮部４０を伸縮させ、反射領域Ａに対応する高さにスクリーン２０（巻回部３、保持部４含む）を移動させる。なお、伸縮部４０は、エアーシリンダー（図示省略）を備え、外側は伸縮ケース４１で覆われている。駆動部７０は、ベース部６０内部に設置されている。駆動部７０は、双方向に回転可能なモーター７５と、モーター７５に設置される伝達ギヤ７６と、伝達ギヤ７６に噛み合い、載置部５０の支軸５６に噛み合う減速ギヤ列７７とを有して構成される。
【００７８】
また、駆動部７０は、巻回部３のダイヤル３３の回動量を検出するエンコーダー（図示省略）と、エンコーダーによる検出結果により、エアーシリンダーを伸縮させるエアーシリンダー用のドライバー（図示省略）と、モーター７５を回転させるモーター７５用のドライバー（図示省略）とを備えている。また、駆動部７０は、エンコーダーやドライバーを含め、駆動部７０の駆動を制御する制御部（図示省略）を備えている。
【００７９】
載置部５０は、プロジェクターＰＪを載置する載置部本体５５と、載置部本体５５を支持して駆動部７０の減速ギヤ列７７の最終ギヤ（図示省略）に噛み合う支軸５６とを有して構成される。支軸５６は、最終ギヤに噛み合い、載置部本体５５を回転させ、ベース部６０の上面６０Ａとの角度を可変する。
【００８０】
スクリーン装置１０は、ダイヤル３３が回動された場合、エンコーダーがダイヤル３３の回動量を検出して制御部に送る。制御部は、エンコーダーからの信号に対応する信号をエアーシリンダー用のドライバーに送る。エアーシリンダー用のドライバーは、制御部からの信号に応じて、エアーシリンダーに、ダイヤル３３の回動に対応する所定量の伸縮を行わせる。これに従動して伸縮ケース４１も伸縮する。
【００８１】
また、併せて、制御部は、エンコーダーからの信号に対応する信号をモーター７５用のドライバーに送る。モーター７５用のドライバーは、制御部からの信号に応じて、モーター７５を回動させる。このモーター７５の回動を伝達ギヤ７６が減速ギヤ列７７に伝達する。
【００８２】
減速ギヤ列７７の回転により、減速ギヤ列７７の最終ギヤに噛み合う載置部５０の支軸５６が回動し、所定の投射角度Ｅとなる位置で停止する。この支軸５６の回動に伴って、載置部本体５５も支軸５６を中心に回動し、所定の投射角度Ｅとなる位置で停止する。
【００８３】
次に、プロジェクターＰＪを操作して、投射光Ｌｐの投射範囲をスクリーン２０の表示範囲内に納まるように調整する。これにより、巻回部３の回動により表示された反射面（表示領域Ａ）に対応した適切な投射角度ＥにプロジェクターＰＪを位置させ、投射させることができる。言い換えると、スクリーン２０は、投射角度Ｅに対応する反射面（表示領域Ａ）により、プロジェクターＰＪからの投射光Ｌｐに対し、コントラストを低減することなく観察者側に反射させる。
【００８４】
上述した実施形態によれば、第１実施形態と同様の効果を奏する他、以下の効果が得られる。
本実施形態の反射型スクリーン装置１０によれば、伸縮部４０と駆動部７０とを備えることにより、巻回部３を回動させて所望の反射面を表示させた場合、スクリーン２０を所定の高さに移動させると共に、容易にプロジェクターＰＪを所定の投射角度Ｅに回転させることができ、投射光Ｌｐを効率的に反射させ、コントラスト性能を維持することができる。また、このような伸縮部４０、駆動部７０を備えることにより、反射型スクリーン装置１０の利便性が向上する。
【００８５】
本実施形態の反射型スクリーン装置１０によれば、保持部４、伸縮部４０、載置部５０、ベース部６０を備えることで、安定して容易にプロジェクターＰＪを設置することができ、反射型スクリーン装置１０の利便性が向上する。
【００８６】
なお、上述した第１、第２実施形態に限定されず、その要旨を逸脱しない範囲において種々の変更や改良等を加えて実施することが可能である。変形例を以下に述べる。
【００８７】
前記第１実施形態での反射型スクリーン装置１は、近距離（約２０ｃｍ）からの投射においても、プロジェクターＰＪの投射レンズＰ１を反射面に向けて投射させているが、これに限られず、第１反射部８（図８参照）を用いて投射させてもよい。以降では、この第１反射部８の構成と動作、及び第１反射部８を用いた反射型スクリーン装置１の近距離での投射のさせ方に関して説明する。
【００８８】
図８は、第１実施形態での変形例を示す第１反射部８を用いた側面図であり、図８（ａ）は、第１反射部８の動作を説明する図であり、図８（ｂ）は、第１反射部８による投射を示す図である。
【００８９】
図８（ｂ）に示すように、スクリーン装置１は、反射面として、近距離（約２０ｃｍ）からの投射に好適となる近距離用の反射領域Ａ３が表示された場合、第１反射部８を使用して投射させる構造となっている。第１反射部８は、プロジェクターＰＪからの投射光Ｌｐを反射させて、スクリーン２に投射する装置である。この場合、距離表示部Ｂには、「ミラー」という表示がされてもよい。
【００９０】
ベース部６には、下側の巻回部３の近傍で、駆動部７とは重ならない領域に、上面６Ａから窪んだ面部６Ｂが形成されている。この面部６Ｂに第１反射部８が設置されている。第１反射部８は、反射ミラー８１と、反射ミラー８１を保持するフレーム８２と、フレーム８２を回動して、折り畳み可能に支持する支軸８３とを備えている。
【００９１】
図８（ａ）に示すように、スクリーン２の反射面として、近距離用の反射領域Ａ３を表示させた場合、使用者は、第１反射部８のフレーム８２を把持し、面部６Ｂに折り畳まれた第１反射部８を、支軸８３を中心に、所定の位置まで回転させる。その後、図８（ｂ）に示すように、プロジェクターＰＪを、面部６Ｂの所定の位置（図示省略）に、プロジェクターＰＪの投射レンズＰ１が反射ミラー８１を向くように設置する。その後、プロジェクターＰＪから投射光Ｌｐを投射させることにより、その投射光Ｌｐは、反射ミラー８１で反射されて反射領域Ａ３に投射される。これにより、スクリーン装置１は、反射ミラー８１で反射された投射光Ｌｐに対し、コントラストを低減することなく観察者側に反射させる。なお、第１反射部８を使用しない場合には、図８（ａ）に二点鎖線で示すように、フレーム８２を回動させ、折り畳んで面部６Ｂに収容する。
【００９２】
なお、このような第１反射部８を用いることにより、以下の効果が得られる。
本変形例の反射型スクリーン装置１によれば、投射光Ｌｐを反射させて反射面に投射させる第１反射部８を備えることにより、プロジェクターＰＪを反射型スクリーン２に対して、好適に接近させて設置することが更に好適に行える。また、第１反射部８は折り畳み可能に設置されており、第１反射部８を使用しない場合には、折り畳むことにより、邪魔にならないため、反射型スクリーン装置１の利便性を維持向上することができる。
【００９３】
前記第２実施形態での反射型スクリーン装置１０は、投射角度Ｅに対応させて、プロジェクターＰＪの投射レンズＰ１を反射面に向けて投射させている。しかし、これに限られず、投射角度Ｅを可変することに対応して、反射角度Ｆ（図９）を可変する第２反射部８０を用い、第２反射部８０で投射光Ｌｐを反射させて反射面に投射させてもよい。以降では、第２反射部８０を用いた反射型スクリーン装置１１の構成と動作、及び投射のさせ方に関して簡潔に説明する。
【００９４】
図９は、第２実施形態での変形例を示す第２反射部８０を用いた側面図である。図９は、スクリーン２０の反射領域Ａとして、Ａ１とＡ３とが表示される場合を同時に示している。
反射型スクリーン装置１１は、図９に示すように、第２実施形態での反射型スクリーン装置１０の載置部５０に換えて第２反射部８０を備えている。また、これに伴い、第２実施形でのベース部６０と駆動部７０とを略同様なベース部６００と駆動部９０とに変更している。その他の構成は、第２実施形態と略同様となっている。
【００９５】
ベース部６００の上面６００Ａには、第２反射部８０が設置されている。第２反射部８０は、反射ミラー８５と、反射ミラー８５を保持するフレーム８６と、投射角度Ｅ（図５参照）に対応する反射角度Ｆとしてフレーム８６の角度を可変すると共に、フレーム８６を支持する支軸８７とを備えている。なお、第２実施形態の角度表示部Ｃには、投射角度Ｅに対応する反射角度Ｆを露出（表示）することでよい。
【００９６】
駆動部９０は、第２実施形態と同様に、巻回部３の回転に従動して、伸縮部４０を伸縮させ、反射領域Ａに対応する高さにスクリーン２０（巻回部３、保持部４含む）を移動させると共に、第２反射部８０を適切な反射角度Ｆに回動させる。駆動部９０は、ベース部６００内部に設置されている。駆動部９０は、双方向に回転可能なモーター９５と、モーター９５に設置される伝達ギヤ９６と、伝達ギヤ９６に噛み合い、第２反射部８０の支軸８７に噛み合う減速ギヤ列９７とを有して構成される。なお、第２反射部８０の支軸８７は、伝達ギヤ９６の最終ギヤに噛み合い、フレーム８６（反射ミラー８５）を回転させてプロジェクターＰＪからの投射光Ｌｐを反射させる。
【００９７】
なお、このような第２反射部８０を用いることにより、以下の効果が得られる。
本変形例の反射型スクリーン装置１１によれば、投射光Ｌｐを反射させて反射面に投射させる第２反射部８０を備えることにより、プロジェクターＰＪを反射型スクリーン２０に対して、好適に接近させて設置することができ、反射型スクリーン装置１０の利便性が向上する。また、駆動部９０を備えることにより、容易に所定の反射角度Ｆに回動させることができ、反射型スクリーン装置１０の利便性が更に向上する。
【００９８】
以降では、上述した第１反射部８、第２反射部８０を用いた変形例以外の変形例を述べる。
【００９９】
前記第１実施形態の反射型スクリーン装置１は、駆動部７を備えているが、駆動部７を備えないことでもよい。その場合、プロジェクターＰＪの投射距離Ｄを露出（表示）する距離表示部Ｂを備えることにより、反射面が巻回部３の回動により移動した反射型スクリーン２に対して、プロジェクターＰＪを設置する位置（投射距離Ｄ）を示すことができるため、載置部５を手動により移動させて、反射面に対応する投射位置にプロジェクターＰＪを設置することができ、適切に投射させることができる。これにより、所望の反射面に対応させて、プロジェクターＰＪを適切な投射位置に設置でき、投射光Ｌｐを効率的に反射させることができる。
【０１００】
前記第２実施形態の反射型スクリーン装置１０は、駆動部７０を備えているが、駆動部７０を備えないことでもよい。その場合、プロジェクターＰＪの投射角度Ｅを露出（表示）する角度表示部Ｃを備えることにより、反射面が巻回部３の動作により移動した反射型スクリーン２０に対して、伸縮部４０が、表示される反射面に対応する高さに反射型スクリーン２０を移動させる。そして、プロジェクターＰＪを設置する角度（投射角度Ｅ）を示すことができるため、載置部５０を手動により回動し、反射面に対応する投射角度にプロジェクターＰＪを設置することができる。これにより、所望の反射面に対応させて、反射型スクリーン２０を適切な高さに移動させ、プロジェクターＰＪを適切な投射角度Ｅに設置でき、投射光Ｌｐを効率的に反射させることができる。
【０１０１】
前記第１実施形態の反射型スクリーン装置１は、反射型スクリーン２の表面２１Ａの右側に距離表示部Ｂを設けているが、左側に設けても良い。また、巻回部３のダイヤル３３を左側に設けているが、右側に設けてもよい。これは、第２実施形態の角度表示部Ｃおよびダイヤル３３においても同様である。
【０１０２】
前記第２実施形態の反射型スクリーン装置１０は、巻回部３の回動に従動して、伸縮部４０を伸縮させると共に、載置部５０を所定の投射角度Ｅに回転させている。しかし、これに限られず、伸縮部４０を伸縮させることにより、巻回部３が従動して回動して所定の高さに対応する反射面を表示させ、併せて、載置部５０を所定の投射角度Ｅに回転させることでもよい。これにより、反射型スクリーン装置１０の利便性が向上する。
【０１０３】
前記第１実施形態の反射型スクリーン装置１は、巻回部３の回動に従動して、載置部５を、対応する投射距離Ｄに移動させている。しかし、これに限られず、載置部５を所望の位置（投射距離Ｄ）に移動させることにより、巻回部３が従動して回動し、載置部５が移動した位置（投射距離Ｄ）に対応する反射面を表示させることでも良い。これにより、反射型スクリーン装置１の利便性が向上する。
【０１０４】
前記第２実施形態の反射型スクリーン装置１０は、巻回部３の回動に従動して、伸縮部４０を伸縮させると共に、載置部５０を所定の投射角度Ｅに回転させている。しかし、これに限られず、載置部５０を所望の投射角度Ｅに回転させることにより、伸縮部４０が従動して伸縮し、投射角度Ｅに対応する高さに反射型スクリーン２０を移動させ、巻回部３が従動して回動し、投射角度Ｅに対応する反射面を表示させことでも良い。これにより、反射型スクリーン装置１０の利便性が向上する。
【０１０５】
前記第１実施形態の反射型スクリーン装置１０における反射膜２３は、複数の凹部２２の内面２２Ａに選択的に形成されている。しかし、これに限られず、反射膜は、複数の凸部の外面に選択的に形成される構成としてもよい。これは、第２実施形態においても同様である。
【０１０６】
前記第１実施形態の反射型スクリーン装置１は、プロジェクターＰＪの平面サイズが、はがきの大きさ程度の小型のプロジェクターＰＪを対象にした装置である。しかし、これに限られず、通常の大きさのプロジェクターに対しても、適用することができる。これは、第２実施形態においても同様である。
【符号の説明】
【０１０７】
１…反射型スクリーン装置、２…反射型スクリーン、３…巻回部、４…保持部、５…載置部、６…ベース部、７…駆動部、８…第１反射部、１０，１１…反射型スクリーン装置、２０…反射型スクリーン、２１…スクリーン基材、２１Ｃ…上端部、２１Ｄ…下端部、２３…反射膜、４０…伸縮部、５０…載置部、６０…ベース部、７０…駆動部、８０…第２反射部、９０…駆動部、６００…ベース部、Ａ…反射領域、Ｂ…距離表示部、Ｃ…角度表示部、Ｄ…投射距離、Ｅ…投射角度、Ｆ…反射角度、Ｌｐ…投射光、ＰＪ…プロジェクター。
【図１】
2013092542.tif 000003
【図２】
2013092542.tif 000004
【図３】
2013092542.tif 000005
【図４】
2013092542.tif 000006
【図５】
2013092542.tif 000007
【図６】
2013092542.tif 000008
【図７】
2013092542.tif 000009
【図８】
2013092542.tif 000010
【図９】
2013092542.tif 000011